(57)【特許請求の範囲】
【請求項１】
料金情報が記憶されたＩＤタグを有した皿と、
客が携帯する精算用ＩＤカードと、
座席毎に対応した所定の通信領域に前記ＩＤタグが位置したときは当該ＩＤタグから料金情報を読取ると共にその料金情報及び皿枚数を示す飲食情報を処理番号に対応して送信し、前記精算用ＩＤカードが位置したときは当該精算用ＩＤカードに処理番号を書込む読書き手段と、
この読書き手段からの飲食情報を処理番号に対応して記憶すると共に、客が携帯する前記精算用ＩＤカードから処理番号を読取り、その処理番号に対応して記憶している飲食情報に基づいて料金を請求する精算手段とを備えたことを特徴とする飲食料金精算システム。
【請求項２】
座席に対応して設けられた給湯口を備え、
前記読書き手段のアンテナ用コイルは、前記給湯口に中心軸同士が略一致するように設けられていることを特徴とする請求項１記載の飲食料金精算システム。
【請求項３】
前記読書き手段に対応して設けられ、飲食情報を表示する表示手段を備えたことを特徴とする請求項１または２記載の飲食料金精算システム。
【請求項４】
前記読書き手段は、前記ＩＤタグから読取ったタグ番号を記憶すると共に、記憶しているタグ番号に基づいて飲食情報の送信或いは前記精算用ＩＤカードへの書込みが既に終了した飲食情報の再送信或いは再書込みを禁止することを特徴とする請求項１乃至３の何れかに記載の飲食料金精算システム。
【発明の詳細な説明】
【０００１】
【発明の属する技術分野】
本発明は、皿に内蔵されたＩＤタグに記憶された料金情報に基づいて精算処理を行う飲食料金精算システムに関する。
【０００２】
【従来の技術】
例えば回転すし店においては、皿に異なる絵柄を印刷し、絵柄の違いで価格を表現しており、精算時に店員が同一価格の皿の枚数を数えることにより飲食料金を勘定するようにしている。
【０００３】
【発明が解決しようとする課題】
しかしながら、数える皿の枚数が多い場合や、客が混雑して対応を短時間で済ます必要がある場合には、計算誤りを犯し易くなる。また、数えた皿の種別と枚数を記入した明細をレジスタに再入力する場合、入力に時間がかかり、お客を待たせることになると共に、入力誤りを犯す可能性が大きい。
【０００４】
本発明は上記事情に鑑みてなされたもので、その目的は、飲食料金を簡単に且つ確実に精算することができる飲食料金精算システムを提供することにある。
【０００５】
【課題を解決するための手段】
請求項１の発明によれば、店員は、客の飲食が終了したときは、皿を読書き手段の通信領域に位置させる。すると、読書き手段は、皿が有するＩＤタグから料金情報を読取ってから、その料金情報及び皿枚数を示す飲食情報を処理番号に対応して送信する。続いて、店員は、精算用ＩＤカードを読書き手段の通信領域に位置させる。すると、読書き手段は、精算用ＩＤカードに処理番号を書込む。
【０００６】
そして、客が精算用ＩＤカードを精算カウンタに提出したときは、精算手段は、精算用ＩＤカードから処理番号を読取り、その処理番号に対応して読書き手段から送信された飲食情報に基づいて料金を請求する。従って、客は、請求された料金を支払うことにより飲食料金を精算することができる。
【０００８】
請求項２の発明によれば、読書き手段のアンテナ用コイルは、給湯口に中心軸同士が略一致するように設けられているので、読書き手段の通信領域を給湯口の下方に精度よく設定することができる。この場合、給湯口が読書き手段のアンテナ用コイルのボビンとして機能し、読書き手段の読書き能力を高めることができる。
【０００９】
請求項３の発明によれば、表示手段は飲食情報を表示するので、飲食料金を精算するのに先立って支払うべき料金が分り、利便性が優れている。
【００１０】
請求項４の発明によれば、読書き手段は、ＩＤタグからタグ番号を読取った場合は、当該タグ番号を記憶する。このとき、タグ番号を既に記憶しているときは、飲食情報の送信或いは精算用ＩＤカードへの書込みが既に終了していると判断して、料金情報の送信或いは書込みを禁止する。これにより、料金情報を誤って二重送信或いは二重書込みしてしまうことを確実に防止できる。
【００１１】
【発明の実施の形態】
以下、本発明を回転すし店に適用した一実施の形態を図面を参照して説明する。ここで、回転すし店とは、次のような販売システムの店である。
図２は回転すしの販売システムを概略的に示している。この図２において、店内にはループ状のコンベア１が設けられ、そのコンベア１に沿ってテーブル２および椅子３が設けられている。すしは皿４に載せられ、コンベア１によってテーブル２に沿って運ばれる。客は、コンベア１によって運ばれてくる皿４のうちから、好みのすしが載せられている皿４を取り、食べ終えた後の皿４は順にテーブル２上に重ね置いていく。店側では、すしをその売値に応じた色或いは模様の皿に載せるので、客は、重ね置いた皿４と枚数とから店に支払うべきおおよその金額を知ることができるようになっている。食事を終えた後は、店員によって皿の枚数が色或いは模様別に数えられ、店に支払うべき金額が決定される。
【００１２】
テーブル２の前方には給湯口５が椅子３に対応して設けられており、湯のみ茶碗を差出して給湯口５から湯の供給を受けることによりお茶を飲むことができるようになっている。また、給湯口５に隣接して表示部（表示手段に相当）６が設けられていると共に、ブザー７が設けられている。
【００１３】
図１は給湯口５に湯を供給するための給湯装置の縦断側面を概略的に示している。この図１において、コンベア１を支持する支持体８の前面には給湯口５が設けられており、その給湯口５に給湯管９が連結されていると共に当該給湯管９に制御弁１０が設けられている。この制御弁１０は、リーダライタ（読書き手段に相当）１１からの指令に応じて開放されるようになっており、その開放状態で給湯管９を通じて湯が給湯口５側に供給されるようになっている。
【００１４】
支持体８の前面において給湯口５の下方となる位置にはノブ１２が設けられていると共に、給湯口５と制御弁１０との間には給湯弁１３が設けられており、ノブ１２が押圧された状態で給湯弁１３が開放するようになっている。この給湯弁１３には図示しない読取スイッチが設けられており、給湯弁１３が開放した状態で読取スイッチがオンしてリーダライタ１１にオン信号が与えられる。
【００１５】
ここで、給湯口５にはアンテナ用コイル１４が装着されている。このアンテナ用コイル１４は、コイル１４ａを容器１４ｂに収納してなり、その中心軸は給湯口５の中心軸に略一致している。また、アンテナ用コイル１４はケーブル１５を通じてリーダライタ１１と接続されており、リーダライタ１１から電力用信号が与えられた状態で高周波の電力用信号を送信する。この場合、アンテナ用コイル１４とリーダライタ１１とを接続するケーブル１５は給湯管９内に配設されている。
【００１６】
一方、図３に示すように、すしを載せる皿４は、例えばＡＢＳ樹脂などのプラスチック製のもので、その内部には、ＩＤタグ１６が埋め込まれている。このＩＤタグ１６は、図４に示すように、電波信号を送受信するためのアンテナ用コイル１７と、共振コンデンサ１８と、制御用ＩＣ１９と、平滑部２０とから構成され、共振コンデンサ１８、制御用ＩＣ１９および平滑部２０はプリント配線基板２１上に搭載されている。
【００１７】
上記制御用ＩＣ１９は、ＭＰＵ（マイクロプロセッサユニット）２２の他、整流部２３、変復調部２４、メモリ部２５などを構成する半導体素子をワンチップ化したものである。また、平滑部２０は、図示はしないが平滑コンデンサ、ツェナーダイオードなどを有している。
【００１８】
そして、上記アンテナ用コイル１７は、共振コンデンサ１８と並列に接続されて共振回路を構成し、外部機器であるリーダライタから所定の高周波数の電力用電波信号が送信されてくると、これを受信して整流部２３に送信する。整流部２３は、平滑部２０と共に動作用電源回路を構成するもので、共振回路から送信されてきた電力用電波信号を整流し、平滑部２０により平滑化し且つ一定電圧の直流電力（動作用電力）にしてＭＰＵ２２などに供給する。
【００１９】
リーダライタから送信されてくるデータなどの信号は、電力用電波信号に重畳して送信されるようになっており、その信号は、変復調部２４により復調されてＭＰＵ２２に与えられる。ＭＰＵ２２は、メモリ部２５が有するＲＯＭに記憶された動作プログラムに従って動作するもので、変復調部２４から入力される信号に応じた処理を実行し、受信したデータをメモリ部２５が有するＥＥＰＲＯＭなどの消去可能な不揮発性メモリに書き込んだり、メモリ部２５からデータを読み出して変復調部２４により変調し、アンテナ用コイル１７から電波信号として送信したりする。
【００２０】
図５はＩＤタグ１６のメモリ部２５に記憶されているタグ情報を示している。この図５において、タグ情報としては、タグ番号及び皿４の料金を示す料金情報が記憶されている。
【００２１】
ここで、リーダライタ１１は、ＩＤタグ１６との通信を行う際には、キャリア信号を変調して電力用電波信号としてアンテナ用コイル１４から送信し、その後、送信すべきデータを電力用電波信号に重畳するように変調してアンテナ用コイル１４に送信することにより皿４に埋設されたＩＤタグ１６から料金情報を読取ると共に、読取った料金情報を後述するように加工した飲食情報をＰＯＳレジスタに送信するようになっている。
【００２２】
次に飲食料金を精算するためのＰＯＳシステムについて説明する。このＰＯＳシステムは精算用ＩＤカードを利用して飲食料金を精算することを特徴としている。
【００２３】
図６は精算カウンタに設置されたＰＯＳレジスタを示している。この図６において、ＰＯＳレジスタ（精算手段に相当）２６は、リーダライタ１１から送信された飲食情報を記憶すると共に、精算カウンタ２７に載置されたリーダライタ２８を通じて精算用ＩＤカード２９から処理番号を読取り、読取った処理番号に基づいて飲食料金をディスプレイ２６ａに表示するようになっている。
【００２４】
図７は精算用ＩＤカード２９を示している。この図７において、精算用ＩＤカード２９にはアンテナ用コイル３０及び制御用ＩＣ３１が内蔵されており、基本的には上述したＩＤタグ１６と同一構成であるので、その説明を省略する。
【００２５】
次に上記構成の作用について説明する。
図８はリーダライタ１１の動作を示すフローチャートで、繰返して実行するようになっている。この図８において、リーダライタ１１は、給湯弁１３に設けられた読取スイッチがオンしたかを判断している（Ｓ１０１）。
【００２６】
客がお茶を飲むために、湯のみ茶碗にお茶のパックを入れてノブ１２を押圧すると、リーダライタ１１は、読取スイッチがオンしたと判断し（Ｓ１０１：ＹＥＳ）、ＩＤタグからの読取動作を実行し（Ｓ１０２）、皿４が有するＩＤタグ１６か（Ｓ１０３）、精算用ＩＤカード２９かを判断する（Ｓ１０７）。この場合、ＩＤタグ１６或いは精算用ＩＤカード２９の何れでもないことから（Ｓ１０７：ＮＯ）、湯のみ茶碗であると判断し、制御弁１０を開放することにより給湯を開始する（Ｓ１１２）。このとき、給湯弁１３はノブ１２に対する押圧操作に応じて開放しているので、湯が給湯口５から湯のみ茶碗に供給される。
【００２７】
そして、湯のみ茶碗に適量の湯が供給されると、客は、湯のみ茶碗をノブ１２から離すので、給湯弁１３が閉鎖して給湯が停止する。このとき、リーダライタ１１は、読取スイッチがオフすることに応じて（Ｓ１１３：ＹＥＳ）、制御弁１０を閉鎖することにより給湯を停止する（Ｓ１１４）。従って、客は、湯のみ茶碗のお茶を飲むことができる。
【００２８】
さて、飲食を終えた客が料金の集計を希望した場合は、店員は、図１に示すように空になった皿４を重ねた状態で給湯口５の下方に位置させてから、ノブ１２を手で押圧操作する。
【００２９】
すると、リーダライタ１１は、読取スイッチがオンしたことに応じて読取りを開始し、皿４が有するＩＤタグ１６であると判断し（Ｓ１０３：ＹＥＳ）、同一皿の２重読取を防止するためのフィルタリングを行うことにより重ねられた全てのＩＤタグ１６からタグ情報を読取ると共に（Ｓ１０４）、その読取ったタグ情報をメモリに記憶してから（Ｓ１０５）、皿４の読取枚数及び合計金額を表示部６に表示する（Ｓ１０６）。従って、客は、表示部６の表示内容に基づいて店に支払うべき料金を事前に知ることができる。
【００３０】
店員は、上述のようにして全ての皿４が有するＩＤタグ１６からのタグ情報の読取りが終了したときは、給湯口５の下方に精算用ＩＤカード２９を位置した状態でノブ１２を手で押圧操作する。すると、リーダライタ１１は、読取スイッチがオンしたことに応じて精算用ＩＤカード２９であると判断し（Ｓ１０７：ＹＥＳ）、精算用ＩＤカード２９に処理番号（例えば営業開始からのシリアル番号）を書込むと共に（Ｓ１０８）、書込みの終了をブザー７で報知してから（Ｓ１０９）、料金情報及び皿枚数を示す飲食情報を処理番号と共にＰＯＳレジスタ２６に送信する。従って、店員は、ブザー７から報知音が発せられたときは、精算用ＩＤカード２９への書込みが終了したと判断することができる。
【００３１】
続いて、リーダライタ１１は、送信が終了した飲食情報に含まれる料金情報を読取ったＩＤタグ１６のタグ番号を記憶する。これは、精算用ＩＤカード２９に対する処理番号の書込みが終了した後において、読込みが終了していない皿４が残っていた場合は、皿４のＩＤタグ１６から料金情報を読取り、その料金情報及び皿枚数を示す飲食情報を処理番号と共にＰＯＳレジスタ２６に送信する必要があるものの、既に読取りが終了した皿４のＩＤタグ１６からタグ情報を誤って再度読取ってしまった場合は、読取りが終了しているＩＤタグ１６であると判断して、そのＩＤタグ１６から読取った料金情報に関しては飲食情報を再送信しないためである。
なお、同一の客に対して複数の精算が行われた場合は、精算用ＩＤカード２９には複数の処理番号が記憶されることになる。
【００３２】
図９はＰＯＳレジスタ２６の動作を示すフローチャートで、繰返して実行するようになっている。この図９において、ＰＯＳレジスタ２６は、リーダライタ１１から飲食情報を入力するか（Ｓ２０１）、精算用ＩＤカード２９が存在するかを監視しており（Ｓ２０２）、上述したようにリーダライタ１１から飲食情報が送信されたときは（Ｓ２０１：ＹＥＳ）、その飲食情報を記憶する（Ｓ２０９）。
【００３３】
さて、店員は、上述のようにして精算用ＩＤカード２９に対する処理番号の書込みが終了したときは、精算用ＩＤカード２９を客に手渡す。精算用ＩＤカード２９を受取った客は、精算用ＩＤカード２９を精算カウンタ２７に提出する。すると、店員は、客が提出した精算用ＩＤカード２９をリーダライタ１１に載置してからＰＯＳレジスタ２６を操作する。
【００３４】
ＰＯＳレジスタ２６は、精算用ＩＤカード２９が存在すると判断したときは（Ｓ２０２：ＹＥＳ）、精算用ＩＤカード２９から処理番号を読込み（Ｓ２０３）、正常に読込めたときは（Ｓ２０４：ＹＥＳ）、処理番号から対応する明細データ（料金及び皿枚数）を検索する（Ｓ２０５）。続いて、合計金額を計算してディスプレイ２６ａに表示すると共に（Ｓ２０６）、明細書及び領収書を発行してから（Ｓ２０７）、精算用ＩＤカード２９の記憶内容をクリアする（Ｓ２０８）。なお、精算用ＩＤカード２９に複数の処理番号が記憶されている場合は、それらの処理番号に対応する飲食情報に基づいて飲食料金を合計する。
【００３５】
このような実施の形態によれば、給湯口５に装着したアンテナ用コイル１４を通じてリーダライタ１１により皿４のＩＤタグ１６から料金情報を読取り、読取った料金情報及び皿枚数を示す飲食情報を処理番号と共にＰＯＳレジスタ２６に送信してから、精算用ＩＤカード２９に処理番号を書込むと共に、ＰＯＳレジスタ２６においては精算用ＩＤカード２９から読取った処理番号に対応してリーダライタ１１から入力した飲食情報に基づいて精算処理を行うようにしたので、飲食料金を一切入力することなく飲食料金を精算することが可能となる。従って、客が混雑していた場合であっても短時間で精算処理を行うことができると共に、入力間違いを犯すこともない。
【００３６】
また、アンテナ用コイル１４は給湯口５に中心軸が略一致するように装着されているので、アンテナ用コイル１４の通信領域を給湯口の下方に精度よく設定することができる。この場合、給湯口５がアンテナ用コイル１４のボビンとして機能するので、アンテナ用コイル１４の通信性能を高めることができる。
【００３７】
また、椅子３に対応して表示部６を設け、その表示部６に皿４の読取枚数及び合計金額を表示するようにしたので、店に支払うべき飲食料金を事前に知ることができ、使い勝手が優れている。
【００３８】
さらに、リーダライタ１１において皿４のＩＤタグ１６から読取ったＩＤ番号を記憶することによりＰＯＳレジスタ２６への飲食情報の２重送信を防止するようにしたので、システムの信頼性を高めることができる。
【００４３】
本発明は、上記実施の形態に限定されるものではなく、次のように変形または拡張することができる。
リーダライタ１１からＰＯＳレジスタ２６に飲食情報を無線により送信するようにしてもよい。
精算用ＩＤカード２９に処理番号に代えて座席番号を記憶するようにしてもよい。
１つのリーダライタ１１で複数のアンテナ用コイル１４にアクセスするようにしてもよい。
【図面の簡単な説明】
【図１】  本発明の一実施の形態における給湯装置を示す縦断側面図
【図２】  回転すしシステムを示す斜視図
【図３】  回転皿を示す斜視図
【図４】  ＩＤタグの電気的構成を示すブロック図
【図５】  タグ情報を示す図
【図６】  ＰＯＳレジスタを示す斜視図
【図７】  精算用ＩＤカードを示す斜視図
【図８】  リーダライタの動作を示すフローチャート
【図９】  ＰＯＳレジスタの動作を示すフローチャート
【符号の説明】
４は皿、５は給湯口、６は表示部（表示手段）、１１はリーダライタ（読書き手段）、１４はアンテナ用コイル、１６はＩＤタグ、２６はＰＯＳレジスタ（精算手段）、２９は精算用ＩＤカードである。
【図１】
0003847044.tif 000002
【図２】
0003847044.tif 000003
【図３】
0003847044.tif 000004
【図４】
0003847044.tif 000005
【図５】
0003847044.tif 000006
【図６】
0003847044.tif 000007
【図７】
0003847044.tif 000008
【図８】
0003847044.tif 000009
【図９】
0003847044.tif 000010